(57)【特許請求の範囲】
【請求項１】
感光性平版印刷版を搬送する搬送手段と、
前記搬送手段により搬送されている前記感光性平版印刷版に現像液を供給して現像処理して、前記現像液を底部に設けられた現像液用出口から回収する現像処理槽と、
前記現像液を貯留する現像液貯留容器と、
前記現像液貯留容器から現像液を前記現像処理槽に供給する現像液供給管と、
前記現像処理槽の現像液出口から回収された現像液を前記現像液貯留容器に送ることと排出することとを選択できる現像液回収管と、
を有することを特徴とする感光性平版印刷版処理装置。
【請求項２】
前記現像処理槽の洗浄時は、前記現像液回収管を前記現像液貯留容器に送るように選択して前記現像処理槽の現像液を前記現像液貯留容器に送った後、前記現像液回収管を排出するように選択することを特徴とする請求項１に記載の感光性平版印刷版処理装置。
【請求項３】
前記現像液の補充時は、前記現像液回収管を前記現像液貯留容器に送るように選択して前記現像処理槽に補充された現像液を前記現像液貯留容器に送ることを特徴とする請求項１に記載の感光性平版印刷版処理装置。
【請求項４】
前記搬送手段により搬送されている前記感光性平版印刷版に水洗水を供給して水洗処理して、前記水洗液を回収する水洗処理槽と、
前記水洗水を貯留する水洗水貯留容器と、
前記水洗水貯留容器から水洗水を前記水洗処理槽に供給する水洗水供給管と、
前記水洗処理槽で回収された水洗水を前記水洗水貯留容器に送ることと排出することとを選択できる水洗水回収管と、
を有することを特徴とする感光性平版印刷版処理装置。
【請求項５】
前記水洗処理槽の洗浄時は、前記水洗水回収管を前記水洗水貯留容器に送るように選択して前記水洗処理槽の水洗水を前記水洗水貯留容器に送った後、前記水洗水回収管を排出するように選択することを特徴とする請求項４に記載の感光性平版印刷版処理装置。
【請求項６】
前記水洗水の補充時は、前記水洗水回収管を前記水洗水貯留容器に送るように選択して前記水洗処理槽に補充された水洗水を前記水洗水貯留容器に送ることを特徴とする請求項４に記載の感光性平版印刷版処理装置。
【請求項７】
前記搬送手段により搬送されている前記感光性平版印刷版に後処理液を供給して後処理して、前記後処理液を回収する後処理槽と、
前記後処理液を貯留する後処理液貯留容器と、
前記後処理液貯留容器から後処理液を前記後処理槽に供給する後処理液供給管と、
前記後処理槽で回収された後処理液を前記後処理液貯留容器に送ることと排出することとを選択できる後処理液回収管と、
を有することを特徴とする感光性平版印刷版処理装置。
【請求項８】
前記後処理槽の洗浄時は、前記後処理液回収管を前記後処理液貯留容器に送るように選択して前記後処理槽の後処理液を前記後処理液貯留容器に送った後、前記後処理液回収管を排出するように選択することを特徴とする請求項７に記載の感光性平版印刷版処理装置。
【請求項９】
前記後処理液の補充時は、前記後処理液回収管を前記後処理液貯留容器に送るように選択して前記後処理槽に補充された後処理液を前記後処理液貯留容器に送ることを特徴とする請求項７に記載の感光性平版印刷版処理装置。
【発明の詳細な説明】
【０００１】
【発明の属する技術分野】
本発明は、感光性平版印刷版を搬送する搬送手段と、前記搬送手段により搬送されている前記感光性平版印刷版に現像液を供給して現像処理する現像処理槽と、を有する感光性平版印刷版処理装置に関する。
【０００２】
【従来の技術】
近年、感光性平版印刷版の処理時間を短縮することが望まれてきている。そして、感光性平版印刷版を搬送する搬送手段と、前記搬送手段により搬送されている前記感光性平版印刷版に現像液を供給して現像処理する現像処理槽と、を有する感光性平版印刷版処理装置で、搬送速度が１．５ｍ／分程度で、現像処理時間が１５秒程度の現像パス長が０．４ｍ程度のものが知られている。そして、これは、現像処理時間が１５秒程度と短いため、現像温度を上げて現像液の活性を上げて短い現像処理時間でも現像が完了するようにするものである。
【０００３】
【発明が解決しようとする課題】
しかし、より現像処理時間を短くするために、現像液の温度を上げると、現像液からの蒸発が早まり現像液が濃縮され、現像液を貯留する槽などにスラッジが発生しやすくなる。そして、スラッジが発生してしまうと、発生したスラッジが、槽などに固着し急速に固くなったり、感光性平版印刷版に付着して印刷版をダメにしたりするなどの問題が起きる。また、各処理槽に貯留されている処理液、空気酸化により処理液が劣化しやすい。特に現像液は、劣化が急速に進み、現像感度が不安定になり、液寿命が短くなる。そのため、各処理槽を密閉構造にする方法もあるが、処理槽が大きくなりやすく、また、完全に密閉することは困難である。
【０００４】
そこで、現像液の劣化やスラッジの発生を抑制するために、現像液の交換や補充を頻繁に大量に行わなければならない。また、発生したスラッジなどを頻繁に洗浄しなければならない。
【０００５】
第一の発明の目的は、上記課題を解決するもので、現像処理時間の短縮を図りながら、現像液の劣化やスラッジの発生を抑制し、現像液の現像感度の安定化を図り、液寿命を長期化させることである。
【０００６】
第二の発明の目的は、現像液を廃棄することなく、現像処理槽を洗浄することが簡単にでき、また、現像液の交換や補充が簡単にできるようにすることである。
【０００７】
【課題を解決するための手段】
本発明の上記目的は、特許請求の範囲の各請求項に記載の発明を特定するための事項の全てにより達成される。以下、各請求項について説明する。但し引用項の説明と重複する事項は省略することがある。
【００１２】
本発明の感光性平版印刷版処理装置は、感光性平版印刷版を搬送する搬送手段と、前記搬送手段により搬送されている前記感光性平版印刷版に現像液を供給して現像処理して、前記現像液を底部に設けられた現像液用出口から回収する現像処理槽と、前記現像液を貯留する現像液貯留容器と、前記現像液貯留容器から現像液を前記現像処理槽に供給する現像液供給管と、前記現像処理槽の現像液出口から回収された現像液を前記現像液貯留容器に送ることと排出することとを選択できる現像液回収管と、を有することを特徴とする。
本発明の作用は以下の通りである。感光性平版印刷版を現像処理している間は、現像液貯留容器に貯留されている現像液を現像液供給管から現像処理槽に供給して、現像処理槽が、前記搬送手段により搬送されている前記感光性平版印刷版に現像液を供給して現像処理して、前記現像液を回収して、現像液回収管が前記現像処理槽で回収された現像液を前記現像液貯留容器に送ることで、感光性平版印刷版を現像処理することができる。また、現像処理槽の洗浄時は、現像液の大部分が現像液貯留容器に貯留されている状態で、現像液回収管が前記現像処理槽で回収された現像液や洗浄液を排出するようにすることで、洗浄のために汚れた現像液や洗浄液を排出することができ、簡単に現像処理槽を洗浄でき、かつ、現像液の大部分が現像液貯留容器に貯留されているので、大部分の現像液を再度利用することができる。また、現像液の交換は、現像液貯留容器ごと交換したり、現像液貯留容器から交換したりなどすることで、簡単にできる。また、現像液の補充は、現像液貯留容器に補充したり、現像液回収管が現像処理槽で補充された現像液を前記現像液貯留容器に送ったりするなどで、簡単にできる。また、現像液が、感光性平版印刷版の搬送路に開かれている現像処理槽ではなく、現像液貯留容器に貯留されているので、現像液貯留容器の開口を小さくすることで、現像液の蒸発を少なくでき、また、酸化による現像液の劣化を抑制でき、地震などで他の槽に現像液が混ざり込むことを防止できる。また、現像処理槽とは別に現像液貯留容器が設けられているので、現像処理槽と現像液貯留容器とは、その配置や構造に自由度が高く、省スペース化を図ることができる。
【００１３】
なお、前記現像液回収管が、当該現像液回収管の途中に、前記現像処理槽で回収された現像液を前記現像液貯留容器に送ることと排出することとを選択するコックを有することが、簡単な構造であるので好ましい。
【００１６】
また、本発明の感光性平版印刷版処理装置は、前記搬送手段により搬送されている前記感光性平版印刷版に水洗水を供給して水洗処理して、前記水洗液を回収する水洗処理槽と、前記水洗水を貯留する水洗水貯留容器と、前記水洗水貯留容器から水洗水を前記水洗処理槽に供給する水洗水供給管と、前記水洗処理槽で回収された水洗水を前記水洗水貯留容器に送ることと排出することとを選択できる水洗水回収管と、を有することを特徴とする。
【００１７】
また、本発明の感光性平版印刷版処理装置は、前記搬送手段により搬送されている前記感光性平版印刷版に後処理液を供給して後処理して、前記後処理液を回収する後処理槽と、前記後処理液を貯留する後処理液貯留容器と、前記後処理液貯留容器から後処理液を前記後処理槽に供給する後処理液供給管と、前記後処理槽で回収された後処理液を前記後処理液貯留容器に送ることと排出することとを選択できる後処理液回収管と、を有することを特徴とする。
【００２４】
〔用語などの説明〕
後処理とは、現像処理され、水洗処理された感光性平版印刷版にさらにする処理のことで、ガム引き処理、リンス処理などが挙げられる。後処理液とは、後処理のための処理液のことで、例えば、ガム引き処理ではガム液、リンス処理ではリンス液が該当する。
【００２５】
現像時間とは、感光性平版印刷版に、現像液が最初に接触してから、次の処理液が最初に接触するまでの時間のことで、例えば、現像処理の後に水洗処理する場合は、感光性平版印刷版に、現像液が最初に接触してから、水洗水が最初に接触するまでの時間のことである。
【００２６】
現像パス長とは、搬送手段により搬送されている感光性平版印刷版に、現像液が最初に接触してから、次の処理液が最初に接触するまでの距離のことで、例えば、現像処理の後に水洗処理する場合は、搬送手段により搬送されている感光性平版印刷版に、現像液が最初に接触してから、水洗水が最初に接触するまでの距離のことである。
【００２７】
現像液の活性は、現像液の温度を上げることや、現像液の成分を活性な成分にすることや、現像液のｐＨを調整することなどにより、上げることができる。
【００２８】
【発明の実施の形態】
以下に本発明に関する具体例の一例を実施形態として示すが、本発明はこれらに限定されない。また、実施形態には、用語等に対する断定的な表現があるが、本発明の好ましい例を示すもので、本発明の用語の意義や技術的範囲を限定するものではない。
【００２９】
実施形態１
本実施形態の感光性平版印刷版処理装置は、感光性平版印刷版を現像処理する処理装置である。以下、本実施形態の感光性平版印刷版処理装置について、本実施形態の感光性平版印刷版処理装置の概略構成図である図１に基づいて、説明する。
【００３０】
本実施形態の感光性平版印刷版処理装置には、現像処理槽２０と水洗処理槽３０と後処理槽４０とを収容する外枠６０が設けられている。そして、外枠６０は、直方体の天面がない形状の枠であり、この直方体の天面に該当する蓋５０と共に内部を実質的に密閉するものである。そして、感光性平版印刷版処理装置の外枠６０には、搬送手段により所定の搬送路１９に沿って搬送されている感光性平版印刷版の搬送を邪魔しないように、感光性平版印刷版の入口６８及び出口６９が設けられている。また、外枠６０の内側を現像処理槽２０と水洗処理槽３０と後処理槽４０とに区切るために、区画壁６２と区画壁６３とが設けられている。そして、外枠６０の内壁６１と区画壁６２とにより現像処理槽２０が区画され、区画壁６２と区画壁６３とにより水洗処理槽３０が区画され、区画壁６３と外枠６０の内壁６４とにより後処理槽４０が区画されている。
【００３１】
そして、搬送ローラ対１１〜１４が現像処理槽２０内に感光性平版印刷版の所定の搬送路１９に沿って設けられている。また、搬送ローラ対１５、１６が水洗処理槽３０内に感光性平版印刷版の所定の搬送路１９に沿って設けられている。また、搬送ローラ対１７、１８が後処理槽４０内に感光性平版印刷版の所定の搬送路１９に沿って設けられている。そして、区画壁６２の上方の搬送ローラ対１４、１５が、現像液と水洗水とを区画している。また、区画壁６３の上方の搬送ローラ対１６、１７が、水洗水と後処理液とを区画している。そして、搬送ローラ対１１〜１８は、感光性平版印刷版を搬送する搬送手段であり、感光性平版印刷版を、所定の搬送路１９に沿って、一定の搬送速度で搬送する。
【００３２】
現像処理槽２０は、その内部に、搬送ローラ対１１〜１４により搬送されている感光性平版印刷版に現像液を供給する現像液供給ノズル２１が、搬送ローラ対１１〜１３の各々の下流側に、設けられている。そして、現像液供給用ポンプ２５が、現像処理槽２０に貯留している現像液を、すり鉢状の底の最低部に設けられた現像液用出口２６から、途中にこの現像液供給用ポンプ２５を設けた現像液供給管２４を介して、現像液供給ノズル２１に供給する。そして、現像処理槽２０は、この現像液供給ノズル２１により感光性平版印刷版に現像液を供給して現像処理し、そして、落下した現像液を貯留する。
【００３３】
また、水洗処理槽３０は、その内部に、搬送ローラ対１５、１６により搬送されている感光性平版印刷版に水洗水を供給する水洗水供給ノズル３１が、搬送ローラ対１５の下流側に設けられている。そして、水洗水供給用ポンプ３５が、水洗処理槽３０に貯留している水洗水を、すり鉢状の底の最低部に設けられた水洗水用出口３６から、途中にこの水洗水供給用ポンプ３５を設けた水洗水供給管３４を介して、水洗水供給ノズル３１に供給する。そして、水洗処理槽３０は、この水洗水供給ノズル３１により感光性平版印刷版に水洗水を供給して水洗処理し、そして、落下した水洗水を貯留する。
【００３４】
また、後処理槽４０は、その内部に、搬送ローラ対１７、１８により搬送されている感光性平版印刷版に後処理液を供給する後処理液供給ノズル４１が搬送ローラ対１７の下流側に設けられている。そして、後処理液供給用ポンプ４５が、後処理槽４０に貯留している後処理液を、すり鉢状の底の最低部に設けられた後処理液用出口４６から、途中にこの後処理液供給用ポンプ４５を設けた後処理液供給管４４を介して、後処理液供給ノズル４１に供給する。そして、後処理槽４０は、この後処理液供給ノズル４１により感光性平版印刷版に後処理液を供給して後処理し、そして、落下した後処理液を貯留する。
【００３５】
また、外枠６０の上部を囲むようにパッキング６５が設けられており、このパッキング６５を介して取り外し自在な蓋５０が乗せられ、この蓋５０と外枠６０とにより、現像処理槽２０と水洗処理槽３０と後処理槽４０とを、感光性平版印刷版の入口６８及び出口６９と、現像液用出口２６と、水洗水用出口３６と、後処理液用出口４６とを除いて、蓋５０と共に内部を密閉する、すなわち、外部から実質的に密閉する。
【００３６】
また、搬送ローラ対１１〜１８からなる搬送手段による感光性平版印刷版の搬送速度は２．５ｍ／分以上５ｍ／分以下であり、感光性平版印刷版の現像時間が１１秒以下５秒以上であり、感光性平版印刷版の現像パス長が１ｍ以下０．２ｍ以上であり、現像液の活性を上げても、現像液を貯留する現像処理槽が外部から密閉されているので、現像液の蒸発や現像液の劣化やスラッジの発生が抑制され、現像液の交換や補充の頻度や量を少なくすることができつつ、現像処理槽２０を小型化できる。また、現像液を貯留する現像処理槽２０と水洗水を貯留する水洗処理槽３０と後処理液を貯留する後処理槽４０とが、外部から実質的に密閉されているので、現像液と水洗水と後処理液の蒸発や劣化やスラッジの発生が抑制され、現像液と水洗水と後処理液の交換や補充の頻度や量を少なくすることができる。また、単に蓋を開くだけで、簡単に現像処理槽２０と水洗処理槽３０と後処理槽４０とを洗浄したり、簡単に現像液と水洗水と後処理液の交換や補充をしたりすることができる。
【００３７】
実施形態２
本実施形態の感光性平版印刷版処理装置は、感光性平版印刷版を現像処理する処理装置である。以下、本実施形態の感光性平版印刷版処理装置について、本実施形態の感光性平版印刷版処理装置の概略構成図である図２に基づいて、説明する。
【００３８】
本実施形態の感光性平版印刷版処理装置には現像処理槽２０と水洗処理槽３０と後処理槽４０とを収容する外枠６０が設けられている。そして、外枠６０は、直方体の天面がない形状の枠であり、この直方体の天面に該当する蓋５０と共に内部を実質的に密閉するものである。そして、感光性平版印刷版処理装置の外枠６０には、搬送手段により所定の搬送路１９に沿って搬送されている感光性平版印刷版の搬送を邪魔しないように、感光性平版印刷版の入口６８及び出口６９が設けられている。また、外枠６０の内側を現像処理槽２０と水洗処理槽３０と後処理槽４０とに区切るために、区画壁６２と区画壁６３とが設けられている。そして、外枠６０の内壁６１と区画壁６２とにより現像処理槽２０が区画され、区画壁６２と区画壁６３とにより水洗処理槽３０が区画され、区画壁６３と外枠６０の内壁６４とにより後処理槽４０が区画されている。
【００３９】
そして、搬送ローラ対１１〜１４が現像処理槽２０内に感光性平版印刷版の所定の搬送路１９に沿って設けられている。また、搬送ローラ対１５、１６が水洗処理槽３０内に感光性平版印刷版の所定の搬送路１９に沿って設けられている。また、搬送ローラ対１７、１８が後処理槽４０内に感光性平版印刷版の所定の搬送路１９に沿って設けられている。そして、区画壁６２の上方の搬送ローラ対１４、１５が、現像液と水洗水とを区画している。また、区画壁６３の上方の搬送ローラ対１６、１７が、水洗水と後処理液とを区画している。そして、搬送ローラ対１１〜１８は、感光性平版印刷版を搬送する搬送手段であり、感光性平版印刷版を、所定の搬送路１９に沿って、一定の搬送速度で搬送する。
【００４０】
また、本実施形態の感光性平版印刷版処理装置には、現像液を貯留する現像液貯留容器２２と、水洗水を貯留する水洗水貯留容器３２と、後処理液を貯留する後処理液貯留容器４２とを収容する貯留容器外枠７０が設けられている。そして、外枠７０は、直方体の天面がない形状の枠であり、この直方体の天面に該当する蓋８０と共に内部を実質的に密閉するものである。そして、貯留容器外枠７０には、現像液を貯留する現像液貯留容器２２と、水洗水を貯留する水洗水貯留容器３２と、後処理液を貯留する後処理液貯留容器４２とに区切るために、区画壁７２と区画壁７３とが設けられている。そして、外枠７０の内壁７１と区画壁７２とにより現像液貯留容器２２が区画され、区画壁７２と区画壁７３とにより水洗水貯留容器３２が区画され、区画壁７３と外枠７０の内壁７４とにより後処理液貯留容器４２が区画されている。
【００４１】
また、現像処理槽２０は、その内部に、搬送ローラ対１１〜１４により搬送されている感光性平版印刷版に現像液を供給する現像液供給ノズル２１が、搬送ローラ対１１〜１３の各々の下流側に、設けられている。そして、現像液供給用ポンプ２５が、現像液貯留容器２２に貯留している現像液を、現像液貯留容器２２の底に設けられた現像液貯留容器出口２３から、途中にこの現像液供給用ポンプ２５を設けた現像液供給管２４を介して、現像液供給ノズル２１に供給する。
【００４２】
そして、現像処理槽２０は、この現像液供給ノズル２１により感光性平版印刷版に現像液を供給して現像処理し、そして、落下した現像液をすり鉢状の底により回収する。現像処理槽２０のすり鉢状の底に現像液用出口２６が設けられている。そして、現像液用出口２６から現像液貯留容器２２の現像液貯留容器入口２９まで、途中に切り替えコック２７が設けられた回収管２８が設けられている。そして、現像処理槽２０のすり鉢状の底から回収された現像液は、現像液用出口２６から途中に切り替えコック２７が設けられた回収管２８を介して、現像液貯留容器入口２９より現像液貯留容器２２に戻す。
【００４３】
なお、切り替えコック２７は、簡単な構造のもので、現像処理槽２０で回収された現像液を、現像液貯留容器２２に送ることと排出することとを選択するものである。そして、現像処理時には、切り替えコック２７を、現像処理槽２０で回収された現像液を現像液貯留容器２２に送るように切り替えることで、現像液を循環させながら、感光性平版印刷版を連続的に現像処理する。
【００４４】
また、現像処理槽２０の洗浄時は、現像処理槽２０に在った現像液を全て現像液貯留容器２２に送った後、切り替えコック２７を、回収管２８が現像処理槽で回収された現像液や洗浄液を排出するように切り替えることで、洗浄のために汚れた現像液や洗浄液を排出することができ、簡単に現像処理槽を洗浄でき、また、洗浄のために現像液を廃棄する必要がなく、洗浄中の現像液の劣化も良好に抑制できる。
【００４５】
また、現像液の交換時は、現像液貯留容器２２ごと交換したり、現像液貯留容器２２から交換したりなどすることで、簡単にできる。
【００４６】
また、現像液の補充は、現像液貯留容器２２に補充したり、切り替えコック２７が、現像処理槽２０で回収された現像液を現像液貯留容器２２に送るように切り替えることで、回収管２８が現像処理槽２０で補充された現像液を現像液貯留容器２２に送ったりするなどで、簡単にできる。
【００４７】
また、現像液は実質的に密閉されている開口の小さい現像液貯留容器２２に貯留されているので、現像液の蒸発を少なくでき、酸化による現像液の劣化を防止でき、地震などで他の槽に現像液が混ざり込むことを防止できる。
【００４８】
また、水洗処理槽３０は、その内部に、搬送ローラ対１４、１５により搬送されている感光性平版印刷版に水洗水を供給する水洗水供給ノズル３１が、搬送ローラ対１４の下流側に設けられている。そして、水洗水供給用ポンプ３５が、水洗水貯留容器３２に貯留している水洗水を、水洗水貯留容器３２の底に設けられた水洗水貯留容器出口３３から、途中にこの水洗水供給用ポンプ３５を設けられた水洗水供給管３４を介して、水洗水供給ノズル３１に供給する。
【００４９】
そして、水洗処理槽３０は、この水洗水供給ノズル３１により感光性平版印刷版に水洗水を供給して水洗処理し、そして、落下した水洗水をすり鉢状の底により回収する。水洗処理槽３０のすり鉢状の底に水洗水用出口３６が設けられている。そして、水洗水用出口３６から水洗水貯留容器３２の水洗水貯留容器入口３９まで、途中に切り替えコック３７が設けられた回収管３８が設けられている。そして、水洗処理槽３０のすり鉢状の底から回収された水洗水は、水洗水用出口３６から途中に切り替えコック３７が設けられた回収管３８を介して、水洗水貯留容器入口３９より水洗水貯留容器３２に戻す。
【００５０】
なお、切り替えコック３７は、簡単な構造のもので、水洗処理槽３０で回収された水洗水を、水洗水貯留容器３２に送ることと排出することとを選択するものである。そして、水洗処理時には、切り替えコック３７を、水洗処理槽３０で回収された水洗水を水洗水貯留容器３２に送るように切り替えることで、水洗水を循環させながら、感光性平版印刷版を連続的に水洗処理する。
【００５１】
また、水洗処理槽３０の洗浄時は、水洗処理槽３０に在った水洗水を全て水洗水貯留容器３２に送った後、切り替えコック３７を、回収管３８が水洗処理槽で回収された水洗水や洗浄液を排出するように切り替えることで、洗浄のために汚れた水洗水や洗浄液を排出することができ、簡単に水洗処理槽を洗浄でき、また、水洗水を廃棄する必要なく、洗浄中の水洗水の劣化も良好に抑制できる。
【００５２】
また、水洗水の交換時は、水洗水貯留容器３２ごと交換したり、水洗水貯留容器３２から交換したりなどすることで、簡単にできる。
【００５３】
また、水洗水の補充は、水洗水貯留容器３２に補充したり、切り替えコック３７が、水洗処理槽３０で回収された水洗水を水洗水貯留容器３２に送るように切り替えることで、回収管３８が水洗処理槽３０で補充された水洗水を水洗水貯留容器３２に送ったりするなどで、簡単にできる。
【００５４】
また、水洗水は実質的に密閉されている開口の小さい水洗水貯留容器３２に貯留されているので、水洗水の蒸発を少なくでき、地震などで他の槽に水洗水が混ざり込むことを防止できる。
【００５５】
また、後処理槽４０は、その内部に、搬送ローラ対１５、１６により搬送されている感光性平版印刷版に後処理液を供給する後処理液供給ノズル４１が搬送ローラ対１５の下流側に設けられている。そして、後処理液供給用ポンプ４５が、後処理液貯留容器４２に貯留している後処理液を、後処理液貯留容器４２の底に設けられた後処理液用出口４６から、途中にこの後処理液供給用ポンプ４５を設けられた後処理液供給管４４を介して、後処理液供給ノズル４１に供給する。
【００５６】
そして、後処理槽４０は、この後処理液供給ノズル４１により感光性平版印刷版に後処理液を供給して後処理し、そして、落下した後処理液をすり鉢状の底により回収する。後処理槽４０のすり鉢状の底に後処理液用出口４６が設けられている。そして、後処理液用出口４６から後処理液貯留容器４２の後処理液貯留容器入口４９まで、途中に切り替えコック４７が設けられた回収管４８が設けられている。そして、後処理槽４０のすり鉢状の底から回収された後処理液は、後処理液用出口４６から途中に切り替えコック４７が設けられた回収管４８を介して、後処理液貯留容器入口４９より後処理液貯留容器４２に戻す。
【００５７】
なお、切り替えコック４７は、簡単な構造のもので、後処理槽４０で回収された後処理液を、後処理液貯留容器４２に送ることと排出することとを選択するものである。そして、後処理時には、切り替えコック４７を、後処理槽４０で回収された後処理液を後処理液貯留容器４２に送るように切り替えることで、後処理液を循環させながら、感光性平版印刷版を連続的に後処理する。
【００５８】
また、後処理槽４０の洗浄時は、後処理槽４０に在った後処理液を全て後処理液貯留容器４２に送った後、切り替えコック４７を、回収管４８が後処理槽で回収された後処理液や洗浄液を排出するように切り替えることで、洗浄のために汚れた後処理液や洗浄液を排出することができ、簡単に後処理槽を洗浄でき、また、後処理液を廃棄する必要がなく、洗浄時の後処理液の劣化も良好に抑制できる。
【００５９】
また、後処理液の交換時は、後処理液貯留容器４２ごと交換したり、後処理液貯留容器４２から交換したりなどすることで、簡単にできる。
【００６０】
また、後処理液の補充は、後処理液貯留容器４２に補充したり、切り替えコック４７が、後処理槽４０で回収された後処理液を後処理液貯留容器４２に送るように切り替えることで、回収管４８が後処理槽４０で補充された後処理液を後処理液貯留容器４２に送ったりするなどで、簡単にできる。
【００６１】
また、後処理液は実質的に密閉されている開口の小さい後処理液貯留容器４２に貯留されているので、後処理液の蒸発を少なくでき、地震などで他の槽に後処理液が混ざり込むことを防止できる。
【００６２】
また、貯留容器外枠７０及び区画壁７２、７３の上部にはパッキング７５が設けられており、このパッキング７５を介して取り外し自在な蓋８０が乗せられ、この蓋８０と外枠７０とにより、現像処理槽２０と後処理槽３０と後処理槽４０とを、現像液貯留容器入口２９及び現像液貯留容器出口２３と、水洗水用入口３９及び水洗水用出口３６と、後処理液用入口４９及び後処理液用出口４６とを除いて、蓋５０と共に内部を密閉する、すなわち、外部から実質的に密閉する。
【００６３】
そして、各処理の際、感光性平版印刷版に供給された各処理液は各処理槽に留まることなく回収され、各処理液の貯留容器に送られるので、劣化しにくい。
【００６４】
また、外枠６０の上部を囲むようにパッキング６５が設けられており、このパッキング６５を介して取り外し自在な蓋５０が乗せられ、この蓋５０と外枠６０とにより、現像処理槽２０と水洗処理槽３０と後処理槽４０とを、感光性平版印刷版の入口６８及び出口６９と、現像液用出口２６と、水洗水用出口３６と、後処理液用出口４６とを除いて、蓋５０と共に内部を密閉する、すなわち、外部から実質的に密閉する。
【００６５】
また、現像処理槽２０と水洗処理槽３０と後処理槽４０との外枠６０と、貯留容器外枠７０とが、それぞれ別なので、その配置、構造に自由度が高く、省スペース化を図ることができる。
【００６６】
また、搬送ローラ対１１〜１６からなる搬送手段による感光性平版印刷版の搬送速度は２．５ｍ／分以上５ｍ／分以下であり、感光性平版印刷版の現像時間が１１秒以下５秒以上であり、感光性平版印刷版の現像パス長が１ｍ以下０．２ｍ以上であり、現像液の活性を上げても、現像液を貯留する現像液貯留容器２２が外部から密閉されているので、現像液の蒸発や現像液の劣化やスラッジの発生が抑制され、現像液の交換や補充の頻度や量を少なくすることができつつ、現像処理槽２０を小型化できる。また、現像液を貯留する現像液貯留容器２２と水洗水を貯留する水洗水貯留容器３２と後処理液を貯留する後処理液貯留容器４２とが、外部から実質的に密閉されているので、現像液と水洗水と後処理液の蒸発や劣化やスラッジの発生が抑制され、現像液と水洗水と後処理液の交換や補充の頻度や量を少なくすることができる。また、単に蓋を開くだけで、簡単に現像処理槽２０と水洗処理槽３０と後処理槽４０とを洗浄したり、簡単に現像液と水洗水と後処理液の交換や補充をしたりすることができる。
【００６７】
【実施例】
実施例１
実施形態１の感光性平版印刷版処理装置で、感光性平版印刷版の搬送速度２．８ｍ／分にし、現像パス長を０．４６ｍにし、現像時間を約９．９秒にして、現像液と水洗水と後処理液の交換や補充を従来と同様にして、感光性平版印刷版を連続的に処理した。
【００６８】
その結果、現像液と水洗水と後処理液の蒸発、劣化及びスラッジの発生を良好に抑制でき、良好な処理ができた。
【００６９】
実施例２
実施形態２の感光性平版印刷版処理装置で、感光性平版印刷版の搬送速度２．８ｍ／分にし、現像パス長を０．４６ｍにし、現像時間を約９．９秒にして、現像液と水洗水と後処理液の交換や補充を従来と同様にして、感光性平版印刷版を連続的に処理した。
【００７０】
その結果、現像液と水洗水と後処理液の蒸発、劣化及びスラッジの発生を良好に抑制でき、良好な処理ができた。
【００７１】
【発明の効果】
第一の発明の効果は、現像液の蒸発や劣化やスラッジの発生を抑制することである。
【００７２】
第二の発明の効果は、現像液を廃棄することなく、現像処理槽を洗浄することが簡単にでき、また、現像液の交換や補充が簡単にできることである。
【図面の簡単な説明】
【図１】実施形態１の感光性平版印刷版処理装置を示す概略構成図。
【図２】実施形態２の感光性平版印刷版処理装置を示す概略構成図。
【符号の説明】
１１〜１８  搬送ローラ対
１９  搬送路
２０  現像処理槽
３０  水洗処理槽
４０  後処理槽
５０  蓋
６０  外枠
６５  パッキング
７０  貯留容器外枠
７５  パッキング
８０  蓋
【図１】
0003799764.tif 000002
【図２】
0003799764.tif 000003